(57)【要約】【課題】製造簡単の食品用紙容器を提供する。【解決手段】上蓋と容器本体を備える食品用紙容器であって、容器本体の底面の周囲に側壁が設けられると共に、その中の一つの側壁が上蓋と連結し、対向する側壁同士の間に断面Λ字形を成す中仕切り部材が一体に設けられ、この中仕切り部材の両側に中仕切り部材と直交する少なくとも一つの溝が形成され、この溝の両端に側壁まで伸びる直立溝が形成され、溝には中仕切り部材が該溝を封閉するように設けられ、更に中仕切り部材の両端に外部へ延出する固接部が設けられると共に、両側にも外部へ延出する固接部が設けられ、それらの固接部が夫々底面及び側壁と接着されることにより、容器本体の内部に複数の収容部が形成されることを特徴とする。【選択図】        図１
2004331121.tif 000002
【特許請求の範囲】
【請求項１】
上蓋と容器本体を備える食品用紙容器であって、
容器本体の底面の周囲に側壁が設けられると共に、その中の一つの側壁が上蓋と連結し、対向する側壁同士の間に断面Λ字形を成す中仕切り部材が一体に設けられ、この中仕切り部材の両側に中仕切り部材と直交する少なくとも一つの溝が形成され、この溝の両端に側壁まで伸びる直立溝が形成され、溝には中仕切り部材が該溝を封閉するように設けられ、更に中仕切り部材の両端に外部へ延出する固接部が設けられると共に、両側にも外部へ延出する固接部が設けられ、それらの固接部が夫々底面及び側壁と接着されることにより、容器本体の内部に複数の収容部が形成されることを特徴とする食品用紙容器。
【請求項２】
対向する側壁同士の間に設けられる中仕切り部材は上蓋と隣接する側壁と直交することを特徴とする請求項１に記載の食品用紙容器。
【請求項３】
対向する側壁同士の間に設けられる中仕切り部材は上蓋と隣接する側壁と平行することを特徴とする請求項１に記載の食品用紙容器。
【発明の詳細な説明】
【０００１】
【発明の属する技術分野】
本発明は、特に製造が簡単である食品用紙容器に関するものである。
【０００２】
【従来の技術】
従来の食品用紙容器は、例えば、台湾実用新案公告第３０２０００号「食品用紙容器の中仕切り構造の改良」に開示されるように、容器本体の両側に夫々中仕切り部材が接着手段により設けられるものであるので、構造強度が不十分であると共に、中仕切り部材を交差状に設置できないので、食品を内部に入れる際、異なる食品同士が混ざってしまうという問題があった。
【０００３】
【本発明が解決しようとする課題】
その後、上記食品用紙容器の問題を解決するために、二つの容器を一つに連結し、その中の一つ容器に少なくとも縦向及び横向の二つの中仕切り部材が設けられるものである構造の台湾実用新案公告第５０１５８０号「食品用中仕切り紙容器」が提出され（図７参照）、しかしながら、このような従来の食品用中仕切り紙容器にも構造が複雑であり、製造コストが増大してしまうという問題があった。
【０００４】
そこで、出願されたのが本発明であって、製造簡単の食品用紙容器を提供することを目的としている。
【０００５】
【課題を解決するための手段】
本願の請求項１の発明は、上蓋と容器本体を備える食品用紙容器であって、
容器本体の底面の周囲に側壁が設けられると共に、その中の一つの側壁が上蓋と連結し、対向する側壁同士の間に断面Λ字形を成す中仕切り部材が一体に設けられ、この中仕切り部材の両側に中仕切り部材と直交する少なくとも一つの溝が形成され、この溝の両端に側壁まで伸びる直立溝が形成され、溝には中仕切り部材が該溝を封閉するように設けられ、更に中仕切り部材の両端に外部へ延出する固接部が設けられると共に、両側にも外部へ延出する固接部が設けられ、それらの固接部が夫々底面及び側壁と接着されることにより、容器本体の内部に複数の収容部が形成されることを特徴とする食品用紙容器及び、
本願の請求項２の発明は、対向する側壁同士の間に設けられる中仕切り部材は上蓋と隣接する側壁と直交することを特徴とする請求項１に記載の食品用紙容器及び、
本願の請求項３の発明は、対向する側壁同士の間に設けられる中仕切り部材は上蓋と隣接する側壁と平行することを特徴とする請求項１に記載の食品用紙容器、
を提供する。
【０００６】
【作用】
本発明は上記の課題を解決するものであり、容器本体の底面に中仕切り部材を設け、底面に溝を形成すると共に、その溝に中仕切り部材を設けて溝を封閉することにより、容器本体の内部に複数の収容部を形成させる構成を成す。
【０００７】
【発明の実施の形態】
以下、添付図面を参照して本発明の好適な実施の形態を詳細に説明する。
【０００８】
図１は本発明に係わる食品用紙容器の第一実施例において上蓋を開けた状態を示す平面図であり、図２は本発明に係わる食品用紙容器の第一実施例において上蓋を開けた状態を示す一部分解斜視図であり、図３は本発明に係わる食品用紙容器の第一実施例において上蓋を開けた状態を示す斜視図であり、図４は本発明に係わる食品用紙容器を複数重ねた状態を示す斜視図であり、図５は本発明に係わる食品用紙容器の第二実施例において上蓋を開けた状態を示す一部分解斜視図であり、図６は本発明に係わる食品用紙容器の第三実施例において上蓋を開けた状態を示す一部分解斜視図である。
【０００９】
図１乃至図３に示すように、本発明に係わる食品用紙容器は上蓋（１０）と容器本体（２０）を備え、容器本体（２０）の底面（２１）の周囲に側壁（２２）が設けられると共に、その中の一つの側壁（２２）が上蓋（１０）と連結し、対向する側壁（２２）同士の間に断面Λ字形を成す中仕切り部材（２３）が一体に設けられ、この中仕切り部材（２３）の両側に中仕切り部材（２３）と直交する少なくとも一つの溝（２４）が形成され、この溝（２４）の両端に側壁（２２）まで伸びる直立溝（２６）が形成され、更に、溝（２４）には中仕切り部材（３０）が該溝（２４）を封閉するように設けられ、該中仕切り部材（３０）は断面がΛ字形であり、両端に外部へ延出する固接部（３１）が設けられると共に、両側にも外部へ延出する固接部（３２）が設けられ、これらの固接部（３２）（３１）が夫々容器本体（１０）の底面（２１）及び側壁（２２）と接着されることにより、容器本体（１０）の内部に複数の収容部（２５）が形成される。
【００１０】
図２及び図４に示すように、本発明に係わる食品用紙容器を収納する場合には、各ブックス本体（１０）における中仕切り部材（２３）が相互に畳んで収納することにより、収納体積を縮減することが達成できる。
【００１１】
又、図５に示すように、本発明に係わる食品用紙容器の第二実施例は上蓋（４０）と隣接する側壁（４１）同士の中央に側壁（４１）と平行する中仕切り部材（４２）が設けられ、中仕切り部材（４２）の両側における底面（４３）に夫々中仕切り部材（４２）と直交する二つの溝（４４）が形成され、各溝（４４）に中仕切り部材（３０）が設けられることにより、溝（４４）を封閉することにより、容器本体の内部に複数の収容部が形成する。更に、上蓋（４０）、中仕切り部材（４２）及び溝（４４）が一体形成に製造し、中仕切り部材（３０）と組合わせることが簡単であるので、簡単に製造して、コストを降下することが達成できる。
【００１２】
更に、図６に示すように、本発明に係わる食品用紙容器の第三実施例は上蓋（５０）と隣接する側壁（５６）同士の中央に側壁（５６）と平行する二つの中仕切り部材（５２）が設けられ、側壁（５６）に対向する中仕切り部材（５２）の一側における底面（５３）に夫々中仕切り部材（５２）と直交する二つの溝（５４）が形成され、各溝（５４）に中仕切り部材（３０）が設けられることによって溝（５４）を封閉することにより、容器本体（５１）の内部に複数の収容部（５５）が形成する。
【００１３】
【発明の効果】
本発明は上記の構造を有するので、容器本体の底面に中仕切り部材を設け、底面に溝を形成すると共に、その溝に中仕切り部材を設けて溝を封閉することにより、容器本体の内部に複数の収容部を形成させる構成を成すことが達成できる。
【図面の簡単な説明】
【図１】本発明に係わる食品用紙容器の第一実施例において上蓋を開けた状態を示す平面図である。
【図２】本発明に係わる食品用紙容器の第一実施例において上蓋を開けた状態を示す一部分解斜視図である。
【図３】本発明に係わる食品用紙容器の第一実施例において上蓋を開けた状態を示す斜視図である。
【図４】本発明に係わる食品用紙容器を複数重ねた状態を示す斜視図である。
【図５】本発明に係わる食品用紙容器の第二実施例において上蓋を開けた状態を示す一部分解斜視図である。
【図６】本発明に係わる食品用紙容器の第三実施例において上蓋を開けた状態を示す一部分解斜視図である。
【図７】従来の食品用紙容器を示す斜視図である。
【符号の説明】
１０        上蓋
２０        容器本体
２１        底面
２２        側壁
２３        中仕切り部材
２４        溝
２５        収容部
２６        直立溝
３０        中仕切り部材
３１        固接部
３２        固接部
４０        上蓋
４１        側壁
４２        中仕切り部材
４３        底面
４４        溝
５０        上蓋
５１        容器本体
５２        中仕切り部材
５３        底面
５４        溝
５５        収容部
５６        側壁
【図１】
2004331121.tif 000003
【図２】
2004331121.tif 000004
【図３】
2004331121.tif 000005
【図４】
2004331121.tif 000006
【図５】
2004331121.tif 000007
【図６】
2004331121.tif 000008
【図７】
2004331121.tif 000009